(57)【特許請求の範囲】
【請求項１】
メッキ浴槽のメッキ液内に設置されたシンクロールに案内された鋼帯が、斜め上方から下方に導入されて上方に導出されるように構成され、液面直上で鋼帯を挟んで、ノズルヘッダーとガスワイピングノズルが対向し、前記鋼帯、ガスワイピングノズルおよびノズルヘッダーを同時に覆うようにシールボックスが設けられたものにおいて、
前記ノズルヘッダーの下方には、ドロス収集用樋がシールボックス内部の液面を境に昇降するように設けられ、該ドロス収集用樋は前記ノズルヘッダーの長さ方向に平行で、該樋の長さ方向一方が高く、かつ、その高い方に堰があり、上昇時の前記樋に残されたトップドロスを樋の下端から受け取りシールボックス外に排出するよう、トップドロス排出ポンプが設けられたことを特徴とする連続式溶融メッキラインにおけるシールボックス内のトップドロス排出装置。
【請求項２】
メッキ浴槽のメッキ液内に設置されたシンクロールに案内された鋼帯が、斜め上方から下方に導入されて上方に導出されるように構成され、液面直上で鋼帯を挟んで、ノズルヘッダーとガスワイピングノズルが対向し、前記鋼帯、ガスワイピングノズルおよびノズルヘッダーを同時に覆うようにシールボックスが設けられたものにおいて、
前記ノズルヘッダーの下方には、ドロス収集用樋がシールボックス内部の液面を境に昇降するように設けられ、該ドロス収集用樋は前記ノズルヘッダーの長さ方向に平行で、該樋の長さ方向一方が高く、かつ、その高い方に堰があり、上昇時の前記樋に残されたトップドロスを樋の下端から受け取りシールボックス外に排出するよう、トップドロス排出ポンプが設けられ、該ドロス排出ポンプの吐出口がドロスから亜鉛を分離回収する亜鉛回収反応槽に臨んだことを特徴とする連続式溶融メッキラインにおけるシールボックス内のトップドロス排出装置。
【発明の詳細な説明】
【０００１】
【発明の属する技術分野】
本発明は、連続式溶融メッキラインにおけるシールボックス内のトップドロス排出装置に関する。
【０００２】
【従来の技術】
連続式溶融金属メッキラインでは、メッキ浴槽内から上方に導出される鋼帯の立ち上がり部に、所定のメッキ付着量にコントロールするためにガスワイピングノズルが設置されている。このノズルのガス流体として、一般的に圧縮空気，燃焼排ガス，窒素等の非酸化性ガスが使用されている。そして、メッキの種類や付着量によっては、メッキ層表面に酸化皮膜が形成するのを防止するため、または、浴槽内の溶融金属が酸化してトップドロスが発生するのを低減するため、次のような手段がとられる。即ち、上面に鋼帯通過スリットを有したシールボックスにより、鋼帯とワイピングノズルとノズルヘッダーを同時にメッキ浴面上で覆い、シールボックス内部の酸素濃度を極めて低く保ちながら、ワイピングノズルから、窒素等の非酸化性ガスを吹き付けるのである。
【０００３】
【発明が解決しようとする課題】
しかしながら、なおまだトップドロスの発生を避けられず、長時間のライン操業では、トップドロスの量が増えて鋼帯へのドロス付着現象が発生する。このため、定期的にシールボックスを上昇（開放）させ、トップドロスを排出していたが、このとき、シールボックス内の酸素濃度が上がり、メッキ層表面への酸化皮膜の形成により、鋼帯メッキ表面肌の外観が損なわれるという問題があった。
【０００４】
本発明は上記課題を解決し、連続式溶融メッキラインにおいて、メッキ浴面上のシールボックス内に発生したトップドロスを回収する場合、シールボックスを上昇（開放）させることなく、シールボックス内のトップドロスを排出できる装置を提供することを目的とする。
【０００５】
【課題を解決するための手段】
上記課題を解決するため、本発明の構成は次のとおりとする。即ち、第１構成は、メッキ浴槽のメッキ液内に設置されたシンクロールに案内された鋼帯が、斜め上方から下方に導入されて上方に導出されるように構成され、液面直上で鋼帯を挟んで、ノズルヘッダーとガスワイピングノズルが対向し、前記鋼帯、ガスワイピングノズルおよびノズルヘッダーを同時に覆うようにシールボックスが設けられたものにおいて、前記ノズルヘッダーの下方には、ドロス収集用樋がシールボックス内部の液面を境に昇降するように設けられ、該ドロス収集用樋は前記ノズルヘッダーの長さ方向に平行で、該樋の長さ方向一方が高く、かつ、その高い方に堰があり、上昇時の前記樋に残されたトップドロスを樋の下端から受け取りシールボックス外に排出するよう、トップドロス排出ポンプが設けられたことである。
【０００６】
第２構成は、メッキ浴槽のメッキ液内に設置されたシンクロールに案内された鋼帯が、斜め上方から下方に導入されて上方に導出されるように構成され、液面直上で鋼帯を挟んで、ノズルヘッダーとガスワイピングノズルが対向し、前記鋼帯、ガスワイピングノズルおよびノズルヘッダーを同時に覆うようにシールボックスが設けられたものにおいて、前記ノズルヘッダーの下方には、ドロス収集用樋がシールボックス内部の液面を境に昇降するように設けられ、該ドロス収集用樋は前記ノズルヘッダーの長さ方向に平行で、該樋の長さ方向一方が高く、かつ、その高い方に堰があり、上昇時の前記樋に残されたトップドロスを樋の下端から受け取りシールボックス外に排出するよう、トップドロス排出ポンプが設けられ、該ドロス排出ポンプの吐出口がドロスから亜鉛を分離回収する亜鉛回収反応槽に臨んだことである。
【０００７】
【発明の実施の形態】
以下に本発明の実施態様を図面に示す一実施例にもとづき説明する。図１において、メッキ浴槽Ｐ1のメッキ液内に設置されたシンクロールＰ2に案内された鋼帯Ａが、斜め上方から下方に導入されて上方に導出されるように構成されている。そして、液面直上で鋼帯を挟んで、ノズルヘッダーＰ3のガスワイピングノズルが対向し、また、鋼帯ＡとガスワイピングノズルとノズルヘッダーＰ3を同時に覆うようにシールボックスＰ4が設けられている。そして、ノズルヘッダーＰ3の下方に、ドロス収集用樋１がシールボックス内部の液面を境に昇降するように設けられ、該ドロス収集用樋は前記ノズルヘッダーの長さ方向に平行で、該樋の長さ方向一方が高く、かつ、その高い方に堰１ｂがある。
【０００８】
前記ドロス収集樋１は、断面Ｕ字状の樋本体１ａを有し、これが樋昇降部２によって上下される。樋昇降部２において、メッキ浴槽Ｐ1の側壁上端に支持梁２ａが橋架され、これに油圧ピストンシリンダからなる往復駆動源２ｂが設置され、これのピストン棒の上端にＺ字状のアーム２ｃの一端が固定され、他端が浴液面より下方に浸漬して、前記樋本体１ａに固定される。また、上昇時の樋１に残されたトップドロスを吸入するようにドロス排出ポンプ３が設けられる。
【０００９】
以上において作動状態を説明する。通常の鋼帯メッキ運転中は、樋１は下降状態にあり、図１の点線で示すように、メッキ浴面下に位置した状態を保っている。シールボックス内液面上にたまったトップドロスを排出する場合は、樋１を上昇させ図２に示す状態とし、樋１内にあるトップドロスを樋の高い方から低い方へ重力で流下させる。そして、ドロス排出ポンプ３でシールボックス外へ排出される。
【００１０】
ドロス排出作業の終了後は、樋１は、下降されて再びメッキ浴面下に位置した状態とされる。
【００１１】
図３は、他の実施例を示し、ドロス排出ポンプ３の吐出口がドロスから亜鉛を分離回収する亜鉛回収反応槽４に臨む。亜鉛回収反応槽４は、浴液面下に浸漬保持された槽体４ａ内に撹拌機４ｂが設けられてなり、上端から塩化アンモニウム等の薬剤が投入される。ここで、ドロスは薬剤と反応して亜鉛が分離回収される。回収された亜鉛液は槽体の下部の隙間から浴槽に戻る。
【００１２】
本発明は前記した実施例や実施態様に限定されず、特許請求の精神および範囲を逸脱せずに種々の変形を含む。
【００１３】
【発明の効果】
本発明により、シールボックスを上昇（開放）させることなく、シールボックス内のトップドロスを排出できるようになり、トップドロス排出時もシールボックス内の酸素濃度が上昇せず、メッキ層表面に酸化皮膜が形成して表面肌の外観が損なわれることを防止できることとなった。また、本装置を用いて定期的にトップドロスを排出することで、ドロス引き現象も解消された。
【図面の簡単な説明】
【図１】  本発明の一実施例の概略正面図である。
【図２】  図１の要部Ｙ−Ｙ断面図である。
【図３】  本発明の他の実施例の縦断面図である。
【符号の説明】
Ａ  鋼帯
Ｐ1   メッキ浴槽
Ｐ2  シンクロール
Ｐ3  ノズルヘッダー
Ｐ4  シールボックス
１  ドロス収集樋
１ａ  樋本体
１ｂ  堰
２  樋昇降部
２ａ  支持梁
２ｂ  往復駆動源
２ｃ  アーム
３  ドロス排出ポンプ
４  亜鉛回収反応槽
４ａ  槽体
４ｂ  撹拌機
【図１】
0004500410.tif 000002
【図２】
0004500410.tif 000003
【図３】
0004500410.tif 000004